(57)【要約】  本発明の実施形態は、装置（２００）の低電力状態において動作可能であるモジュール（４９０）を含む装置に関する。モジュール（４９０）は、経路の交通状況が経路に対して所定の影響を上回る影響を有するか否かを判定し、その判定に応答して、装置が低電力状態であっても装置のユーザに交通状況を警告する通知をナビゲーション装置（２００）に出力させるように構成される。
2013510300.tif 000002
【特許請求の範囲】
【請求項１】
ナビゲーション装置（２００）であって、
前記ナビゲーション装置（２００）の低電力状態において動作可能であり、経路の交通状況が該経路に対して所定の影響を上回る影響を有するか否かを判定し、該判定に応答して、前記ナビゲーション装置（２００）に通知を出力させるモジュール（４９０）を有することを特徴とするナビゲーション装置（２００）。
【請求項２】
前記所定の影響は、前記経路の１つ以上の道路区分に対する所定の遅延時間又は所定の移動速度減少であることを特徴とする請求項１に記載の装置。
【請求項３】
前記モジュール（４９０）は、前記経路を形成する道路区分に対する速度情報に基づいて該経路に対する第１の推定移動時間又は移動速度を判定するとともに、前記経路の前記交通状況を考慮して該経路に対する第２の推定移動時間を判定することを特徴とする請求項２に記載のナビゲーション装置。
【請求項４】
前記モジュール（４９０）は、前記ナビゲーション装置（２００）の前記低電力状態中に道路交通情報を受信することを特徴とする請求項３に記載のナビゲーション装置。
【請求項５】
前記モジュール（４９０）は、受信した通信信号であって好ましくは無線ネットワーク及び／又は電気通信信号を含む通信信号に従って、前記経路を判定することを特徴とする請求項２乃至４のいずれか１項に記載の装置。
【請求項６】
前記モジュール（４９０）は、一連の受信した無線ネットワーク信号と、１つ以上の経路に関連する無線ネットワーク情報を含む記憶データとに従って、前記経路を判定する、又は、受信した電気通信信号に基づく推定位置及び前記記憶データに基づいて前記経路を判定することを特徴とする請求項５に記載の装置。
【請求項７】
前記モジュール（４９０）は、ユーザに前記経路の前記交通状況を警告するために前記通知を可聴出力することを特徴とする請求項１乃至６のいずれか１項に記載の装置。
【請求項８】
前記モジュール（４９０）は、前記交通状況による影響の少ない別の経路が利用可能であるか否かを判定し、前記別の経路が利用可能であることの指示を出力することを特徴とする請求項１乃至７のいずれか１項に記載の装置。
【請求項９】
ナビゲーション装置のユーザに経路の交通状況を警告する方法であって、
ナビゲーション装置（２００）が低電力状態である間に前記ユーザが既知の経路を移動しているか否かを判定するステップ（６１０）と、
前記経路の交通状況が該経路に対して所定の影響を上回る影響を有するか否かを判定し（６２０）、該判定に応答して、前記ユーザに対して通知を出力するステップ（６４０）と、
を有することを特徴とする方法。
【請求項１０】
前記経路を形成する道路区分に対する速度情報に基づいて前記経路に対する第１の推定移動時間又は移動速度を判定するステップ（６１０）と、
前記経路の前記交通状況を考慮して前記経路に対する第２の推定移動時間を判定するステップ（６２０）と、
前記第１の推定移動時間又は移動速度と前記第２の推定移動時間又は移動速度との間の差分が所定量を上回る場合（６３０）に、前記ユーザに対して前記通知を出力するステップと、
を有することを特徴とする請求項９に記載の方法。
【請求項１１】
前記ナビゲーション装置（２００）が前記低電力状態である間に道路交通情報を受信するステップ（６２０）を有することを特徴とする請求項９又は１０に記載の方法。
【請求項１２】
前記通知を出力する前に前記ナビゲーション装置（２００）を高電力状態にするステップを有することを特徴とする請求項９乃至１１のいずれか１項に記載の方法。
【請求項１３】
無線通信信号を受信するステップと、
前記通信信号と、該通信信号を１つ以上の経路と関連付ける情報を含む記憶データとに基づいて、前記ユーザが既知の経路を移動しているか否かを判定するステップと、
を有することを特徴とする請求項９乃至１２のいずれか１項に記載の方法。
【請求項１４】
前記無線通信信号が無線ネットワーク信号である場合に、一連の前記受信した無線通信信号を前記記憶データにおける無線ネットワーク情報と比較し、前記無線通信信号が電気通信信号である場合、該電気通信信号から推定位置を判定し、該推定位置を前記記憶データを比較することを特徴とする請求項１３に記載の方法。
【請求項１５】
前記交通状況により影響の少ない別の経路が利用可能であるか否かを判定し、該別の経路の利用可能性を示す通知を前記ユーザに対して出力するステップ（６６０）を有することを特徴とする請求項９乃至１４のいずれか１項に記載の方法。
【発明の詳細な説明】
【技術分野】
【０００１】
本発明は、ナビゲーション装置及び道路交通情報を提供する方法に関する。本発明の例示的な実施形態は、ポータブルナビゲーション装置（いわゆるＰＮＤ）、特にグローバル・ポジショニング・システム（ＧＰＳ）信号受信／処理機能性を含むＰＮＤに関する。他の実施形態は、更に一般的には、経路計画機能性を提供し、好ましくは、ナビゲーション機能性を更に提供するためにナビゲーションソフトウェアを実行するように構成される何らかの種類の処理装置に関する。
【背景技術】
【０００２】
ＧＰＳ（グローバル・ポジショニング・システム）信号受信／処理機能性を含むポータブルナビゲーション装置（ＰＮＤ）は周知であり、車両搭載型のナビゲーションシステム又は他の車両ナビゲーションシステムとして広く採用される。
【０００３】
一般に、最近のＰＮＤは、プロセッサ、メモリ（揮発性及び不揮発性のうちの少なくとも一方であり、通常は双方）及び前記メモリ内に格納された地図データを備える。プロセッサ及びメモリは協働して、ソフトウェアオペレーティングシステムが確立される実行環境を提供する。更に、ＰＮＤの機能性を制御可能にするため及び種々の他の機能を提供するために１つ以上の追加のソフトウェアプログラムが提供されることは一般的である。
【０００４】
通常、これらの装置は、ユーザが装置と対話し且つ装置を制御できるようにする１つ以上の入力インタフェースと、情報がユーザに中継されるようにする１つ以上の出力インタフェースとを更に備える。出力インタフェースの例は、表示装置及び可聴出力用スピーカを含む。入力インタフェースの例は、装置のオン／オフ動作又は他の特徴を制御するための１つ以上の物理ボタン（これらのボタンは、必ずしも装置自体に存在する必要はなく、装置が車両に組み込まれる場合はステアリングホイール上に存在する場合がある）及びユーザの音声を検出するためのマイクロホンを含む。特に好適な構成において、出力インタフェースディスプレイは、ユーザが触れることで装置を動作できるようにする入力インタフェースを更に提供するためにタッチセンシティブディスプレイとして（例えば、タッチセンシティブオーバーレイにより）構成される。
【０００５】
この種の装置は、装置との間で電力及びオプションとしてデータ信号を送受信可能にする１つ以上の物理コネクタインタフェースと、オプションとして、セルラ通信や、例えばＷｉ−Ｆｉ、Ｗｉ−Ｍａｘ  ＧＳＭ等の他の信号ネットワーク、データネットワークを介する通信を可能にする、１つ以上の無線送信機／受信機とを更に含むことが多い。
【０００６】
この種のＰＮＤ装置はＧＰＳアンテナを更に含み、これにより位置データを含む衛星放送信号が受信され、その後装置の現在地を判定するために処理される。
【０００７】
ＰＮＤ装置は、現在の角加速度及び直線加速度を判定し、ＧＰＳ信号から取得された位置情報と関連して装置及び装置が搭載されている車両の速度及び相対変位を判定するために処理可能な信号を生成する電子ジャイロスコープ及び加速度計を更に含むことができる。通常、そのような特徴を車載型のナビゲーションシステムに提供するのが最も一般的であるが、ＰＮＤ装置に提供するのが好都合な場合はＰＮＤ装置に提供する。
【０００８】
そのようなＰＮＤの有用性は、第１の位置（通常は出発地又は現在地）と第２の位置（通常は目的地）との間の経路を判定する能力において主に示される。これらの場所は、例えば郵便番号、道路名及び番地、事前に格納された「既知の」目的地（有名な場所、市営の場所（運動場又は水泳プール等）又は他の地点情報等）及びお気に入りの目的地又は最近行ったことのある目的地である種々の異なる方法のうちのいずれかによって、装置のユーザにより入力可能である。
【０００９】
通常、ＰＮＤは、地図データから出発地の住所の場所と目的地の住所の場所との間の「最善」又は「最適」な経路を計算することがソフトウェアにより可能になる。「最善」又は「最適」な経路は所定の基準に基づいて判定され、必ずしも最速又は最短の経路である必要はない。運転者を案内する経路の選択は非常に高度であり、選択された経路は、既存の交通道路情報、予測された交通道路情報、動的に及び／又は無線で受信された交通道路情報、道路速度に関する履歴情報、並びに道路選択を判定する要因に対する運転者自身の好み（例えば運転者は、経路が高速自動車道路又は有料道路を含むべきではないと指定する）を考慮する。
【００１０】
更に装置は、道路及び交通の状態を継続的に監視し、状況変化によりとられる残りの行程に対して経路を変更するように提案又は選択する。種々の技術（例えば、移動電話データ交換、固定カメラ、ＧＰＳフリートトラッキング）に基づくリアルタイム交通監視システムは、交通遅滞を識別し且つ通知システムに情報を供給するために使用されている。
【００１１】
この種のＰＮＤは、通常は車両のダッシュボード又はフロントガラスに搭載されるが、車両のラジオの内臓コンピュータの一部又は実際は車両自体の制御システムの一部として形成されてもよい。ナビゲーション装置は、ＰＤＡ（携帯情報端末）、メディアプレーヤ又は移動電話等のハンドヘルドシステムの一部であってもよく、その場合、ハンドヘルドシステムの標準的な機能性は、経路の計算及び計算された経路に沿うナビゲーションの双方を実行するために装置にソフトウェアをインストールすることにより拡張される。
【００１２】
経路計画／ナビゲーション機能性は、適切なソフトウェアを実行するデスクトップ又は移動計算リソースにより提供される場合もある。例えば、Ｒｏｙａｌ  Ａｕｔｏｍｏｂｉｌｅ  Ｃｌｕｂ（ＲＡＣ）は、ｈｔｔｐ：／／ｗｗｗ．ｒａｃ．ｃｏ．ｕｋにおいてオンライン経路計画／ナビゲーション機能を提供する。この機能により、ユーザは出発点及び目的地を入力でき、その結果、ユーザのＰＣが接続されるサーバは経路（この経路全般に関してはユーザが指定する場合がある）を計算し、地図を生成し、選択された出発点から選択された目的地にユーザを案内するための全ナビゲーション命令の集合を生成する。この機能は、計算された経路の疑似３次元レンダリングと、ユーザが経路に沿って移動することをシミュレートすることにより計算された経路のプレビューをユーザに提供する経路プレビュー機能性とを更に提供する。
【００１３】
ＰＮＤの場合、経路が計算されると、ユーザはナビゲーション装置と対話し、オプションとして提案された経路のリストから所望の計算された経路を選択する。オプションとして、ユーザは、例えばある特定の行程に対して特定の経路、道路、場所又は基準が回避されるべきであるか又は必須であると指定することにより、経路選択処理に介入するか又は経路選択処理を案内する。ＰＮＤの経路計算の側面は１つの主要な機能を形成し、そのような経路に沿うナビゲーションは別の主要な機能である。
【００１４】
計算された経路に沿うナビゲーション中、そのようなＰＮＤが、選択された経路に沿ってその経路の終点、すなわち所望の目的地にユーザを案内するための視覚命令及び／又は可聴命令を提供することは一般的である。また、ＰＮＤがナビゲーション中に地図情報を画面上に表示することも一般的であり、そのような情報は、表示される地図情報が装置の現在地を示し、従って装置が車両ナビゲーションに使用されている場合はユーザ又はユーザの車両の現在地を示すように、画面上で定期的に更新される。
【００１５】
画面上に表示されるアイコンは、通常は装置の現在地を示し、装置の現在地の近傍の現在の道路及び周辺の道路の地図情報、並びに同様に表示されている他の地図の特徴と共に中央に配置される。更にナビゲーション情報は、オプションとして、表示された地図情報の上方、下方又は片側のステータスバーに表示される。ナビゲーション情報の例は、ユーザが走行する必要のある現在の道路から次の進路変更までの距離を含み、その進路変更の特性は、例えば左折又は右折である特定の種類の進路変更を示す更なるアイコンにより示される。ナビゲーション機能は、経路に沿ってユーザを案内する可聴命令の内容、継続時間及びタイミングを更に判定する。理解されるように、「１００ｍ先で左折」等の単純な命令は膨大な処理及び解析を必要とする。上述のように、装置とのユーザ対話はタッチスクリーンにより行われてもよく、それに加えて又はその代わりに、ステアリングコラムリモコン、音声起動又は他の何らかの適切な方法により行われてもよい。
【００１６】
装置により提供される更なる重要な機能は、ユーザがナビゲーション中に事前に計算された経路から外れる（誤って又は故意に）場合、別の経路がより適切であるとリアルタイムの交通状態が示し且つ装置がそのような状態を適切に自動認識できる場合、又はユーザが何らかの理由で能動的に装置に経路の再計算を実行させる場合における自動経路再計算である。
【００１７】
また、ユーザが定義した基準で経路を計算できること知られている。例えばユーザは、景色のよい経路が装置により計算されることを好み、あるいは交通渋滞が発生する可能性が高いか、予測されるか又は現在発生している道路を回避することを要求する場合がある。その場合、装置のソフトウェアは種々の経路を計算し、例えば景色が美しい所としてタグ付けされた地点情報（ＰＯＩとして知られる）を経路に沿って最も多く含む経路をより有利に重み付けするか、あるいは特定の道路で発生しやすい交通状態を示す格納された情報を使用することにより、起こる可能性のある渋滞又はそれによる遅滞のレベルに関して計算された経路を順序付けする。他のＰＯＩ及び道路交通情報を使用する経路計算及びナビゲーション基準も可能である。
【００１８】
経路計算機能及びナビゲーション機能はＰＮＤの全体的な有用性の基本になるものであるが、装置を単に情報表示、すなわち「フリードライビング」のために使用することが可能である。この場合、装置の現在地に関連する地図情報のみが表示され、経路は計算されておらず、ナビゲーションは現時点で装置により実行されていない。そのような動作モードは、ユーザが移動時に使用するのが望ましい経路を既に認識しており且つナビゲーション支援を必要としない場合に適用可能であることが多い。
【００１９】
例えばＴｏｍＴｏｍ  Ｉｎｔｅｒｎａｔｉｏｎａｌ  Ｂ．Ｖ．により製造及び供給される７２０Ｔモデルである上述の種類の装置は、ユーザが１つの位置から別の位置へナビゲートできるようにする信頼性の高い手段を提供する。
【発明の概要】
【発明が解決しようとする課題】
【００２０】
問題は、ユーザは不慣れな経路を移動する場合のみ経路案内を提供するようナビゲーション装置を利用することが多いことである。上述の「フリードライビング」モードでナビゲーション装置を使用するユーザもいるが、これは目的地が遠方にあり、かつ、ユーザが経路に慣れている場合のみであることが多い。特に、職場への経路など、比較的短く、慣れた経路を移動する場合には、ユーザはナビゲーション装置を使用しない場合が多い。しかし、交通量によっては既知の経路であってもユーザは遅延する可能性もあるという問題が生じる。
【００２１】
本発明の目的は、従来技術の問題の１つ以上を解決するか又は少なくとも改善することである。
【課題を解決するための手段】
【００２２】
本発明の実施形態は、装置の低電力状態において動作可能であるモジュールを含む装置に関する。モジュールは、経路の交通状況が経路に対して所定の影響を上回る影響を有するか否かを判定し、その判定に応答して、装置が低電力状態であっても装置のユーザに交通状況を警告する通知をナビゲーション装置に出力させるように構成される。
【００２３】
この目的のために、本発明の現時点で好適な一実施形態は、ナビゲーション装置の低電力状態において動作可能であり、経路の交通状況が経路に対して所定の影響を上回る影響を有するか否かを判定し、その判定に応答して、ナビゲーション装置に通知を出力させるモジュールを備えるナビゲーション装置を提供する。
【００２４】
本発明の更なる好適な一実施形態は、ナビゲーション装置が低電力状態である間にユーザが既知の経路を移動しているか否かを判定し、経路の交通状況が経路に対して所定の影響を上回る影響を有するか否かを判定し、その判定に応答して、ユーザに対して通知を出力することにより、ナビゲーション装置のユーザに経路の交通状況を警告する方法を提供する。
【００２５】
本発明の更に別の実施形態は、実行環境において実行される場合に、ナビゲーション装置が低電力状態である間にユーザが既知の経路を移動しているか否かを判定し、経路の交通状況が経路に対して所定の影響を上回る影響を有するか否かを判定し、その判定に応答してユーザに対して通知を出力することにより、プロセッサにナビゲーション装置のユーザに対して経路の交通状況を警告させるように動作可能な１つ以上のソフトウェアモジュールを含むコンピュータソフトウェアに関する。
【００２６】
上記の実施形態の利点は以下に記載され、上記の各実施形態の更なる詳細及び特徴は添付の従属請求項及び以下の詳細な説明中で定義される。
【図面の簡単な説明】
【００２７】
【図１】グローバル・ポジショニング・システム（ＧＰＳ）の概略図。
【図２】ナビゲーション装置を提供する電子構成要素を示す概略図。
【図３】ナビゲーション装置が無線通信チャネルで情報を受信するための概略図である。
【図４Ａ】、
【図４Ｂ】ナビゲーション装置の外観図。
【図５】ナビゲーション装置により実行されるソフトウェアの構成図。
【図６】本発明の実施形態における方法を示すフローチャート。
【図７】本発明の実施形態に係るナビゲーション装置の動作状態を示す図。
【図８】本発明の実施形態に係るナビゲーション装置の動作を示す図。
【発明を実施するための形態】
【００２８】
本発明の好適な実施形態を、特にＰＮＤを参照して説明する。ただし、本明細書の教示はＰＮＤに限定されず、経路計画及びナビゲーション機能性を提供するためにポータブル装置及び／又は移動装置としてナビゲーションソフトウェアを実行するように構成されるあらゆる種類の処理装置にも例外なく適用可能である。従って、本明細書で示す実施形態において、ナビゲーション装置は、ＰＮＤ、自動車等の乗り物、あるいは実際には例えば経路計画及びナビゲーションソフトウェアを実行するポータブルパーソナルコンピュータ（ＰＣ）、移動電話又はパーソナルデジタルアシスタント（ＰＤＡ）であるポータブル計算リソースとして実装されるか否かにかかわらず、あらゆる種類の経路計画及びナビゲーション装置も含むことを意図する（それに限定されない）。
【００２９】
図１は、ナビゲーション装置で利用可能なグローバル・ポジショニング・システム（ＧＰＳ）の例を示している。このような測位システムは種々の目的で使用される。一般にＧＰＳは、連続した位置、速度、時間及びいくつかの例においては多数のユーザに対する方向情報を判定できる衛星無線を使用したナビゲーションシステムである。ＮＡＶＳＴＡＲとして知られているＧＰＳは、極めて正確な軌道で地球を周回する複数の衛星を含む。これらの正確な軌道に基づいて、ＧＰＳ衛星は自身の場所をいかなる数の受信ユニットにも中継できる。
【００３０】
ＧＰＳデータを受信する能力を特別に備えるデバイスがＧＰＳ衛星信号に対する無線周波数の走査を開始する場合、ＧＰＳシステムは実現される。ＧＰＳ衛星から無線信号を受信すると、デバイスは、複数の異なる従来の方法のうちの１つを用いて、その衛星の正確な場所を判定する。殆どの例において、デバイスは、少なくとも３つの異なる衛星信号を取得するまで信号の走査を継続する（尚、位置は、通常は２つの信号のみでは判定されないが、他の三角測量技術を使用して２つの信号から判定することもできる）。幾何学的三角測量を実現する場合、受信機は、３つの既知の位置を利用して、衛星に対する自身の２次元位置を判定する。これは、周知の方法で行われる。更に、第４の衛星信号を取得することにより、受信装置は、同一の幾何学計算によって周知の方法でその３次元位置を計算できる。位置及び速度データは、無数のユーザにより連続的にリアルタイムで更新可能である。
【００３１】
図１に示すように、ＧＰＳシステムは、一般に参照番号１００で示される。複数の衛星１２０は地球１２４に対する周回軌道にある。各衛星１２０の軌道は、他の衛星の軌道に同期する必要はなく、実際、非同期のようになっている。ＧＰＳ受信機１４０は、複数の衛星１０２からスペクトル拡散ＧＰＳ衛星データ信号１６０を受信する。
【００３２】
各衛星１２０から連続的に送信されるスペクトル拡散信号１６０は、極めて正確な原子時計を用いて達成される非常に正確な周波数標準を利用する。各衛星１２０は、そのデータ信号送信１６０の一部として、その特定の衛星１２０を示すデータストリームを送信する。一般に、ＧＰＳ受信機１４０が、ＧＰＳ受信機１４０に対する少なくとも３つの衛星１２０からスペクトル拡散ＧＰＳ衛星信号１６０を取得し、三角測量によりその２次元位置を計算することが当業者には理解される。更なる信号を取得すると、全部で４つの衛星１２０から信号１６０を取得する結果となり、これによってＧＰＳ受信機１４０は、その３次元位置を周知の方法で計算できる。
【００３３】
図２は、本発明の実施形態のナビゲーション装置２００の電子構成要素の一例をブロック構成要素の形式で示すブロック図である。尚、ナビゲーション装置２００のブロック図は、ナビゲーション装置の全ての構成要素を含むものではなく、構成要素の多くの例を表すにすぎない。
【００３４】
ナビゲーション装置２００は、筐体（不図示）内に位置付けられる。筐体は、入力装置２２０及び表示画面２４０に接続されるプロセッサ２１０を含む。入力装置２２０は、キーボード装置、音声入力装置、タッチパネル、及び／又は情報を入力するために利用される他の任意の周知の入力装置を含むことができ、表示画面２４０は、例えばＬＣＤディスプレイ等の任意の種類の表示画面を含むことができる。本発明の少なくとも１つの実施形態において、入力装置２２０及び表示画面２４０は、タッチパッド又はタッチスクリーン入力を含む一体型入力表示装置に一体化され、その場合、ユーザは、複数の表示選択肢のうちの１つを選択するか又は複数の仮想ボタンのうちの１つを操作するために、表示画面２４０の一部分に接触するだけでよい。
【００３５】
ナビゲーション装置は、例えば可聴出力装置（例えば、スピーカ）である出力装置２６０を含んでもよい。出力装置２６０がナビゲーション装置２００のユーザに対して可聴情報を生成できるため、入力装置２４０は入力音声コマンドを受信するマイクロホン及びソフトウェアを更に含むことができることが同様に理解されるべきである。
【００３６】
ナビゲーション装置２００において、プロセッサ２１０は、接続２２５を介して入力装置２４０に動作可能に接続され且つ入力装置２４０から入力情報を受信するように設定される。また、プロセッサ２１０は、情報を出力するために、表示画面２４０及び出力装置２５０のうちの少なくとも一方に出力接続２４５を介して動作可能に接続される。更に、プロセッサ２１０は、接続２３５を介してメモリ２３０に動作可能に接続され、接続２７５を介して入出力（Ｉ／Ｏ）ポート２７０との間で情報を送受信するように更に構成される。この場合、Ｉ／Ｏポート２７０は、ナビゲーション装置２００の外部のＩ／Ｏ装置２８０に接続可能である。例えばメモリリソース２３０は、ランダムアクセスメモリ（ＲＡＭ）等の揮発性メモリ及び例えばフラッシュメモリ等のデジタルメモリである不揮発性メモリを含む。外部Ｉ／Ｏ装置２８０は、例えばイヤホン等の外部聴音装置を含んでもよいが、これに限定されない。更に、Ｉ／Ｏ装置２８０への接続は、例えばハンズフリー動作及び／又は音声起動動作のため、イヤホン又はヘッドフォンへの接続のため、並びに／あるいは例えば移動電話への接続のためのカーステレオユニット等の他の任意の外部装置への有線接続又は無線接続となる。この場合、移動電話接続は、ナビゲーション装置２００とインターネット又は例えば他の任意のネットワークとの間のデータ接続を確立するため及び／又はインターネット又は例えば他の任意のネットワークを介するサーバへの接続を確立するために使用されてもよい。
【００３７】
図２は、接続２５５を介してプロセッサ２１０とアンテナ／受信機２５０との間の動作可能な接続を更に示す。アンテナ／受信機２５０は、例えばＧＰＳアンテナ／受信機であってもよい。図中、符号２５０により示されるアンテナ及び受信機は、図示するために概略的に組み合わされるが、アンテナ及び受信機は別個に配置された構成要素であってもよく、アンテナは例えばＧＰＳパッチアンテナ又はヘリカルアンテナであってもよいことが理解されるべきである。
【００３８】
当然、図２に示した電子構成要素は、従来の方法で１つ以上の電源（不図示）により電力を供給されることが当業者には理解されるだろう。当業者には理解されるように、図２に示した構成要素の種々の構成が考えられる。例えば図２に示した構成要素は、有線及び／又は無線接続等を介して互いに通信していてもよい。従って、本明細書で説明するナビゲーション装置２００は、ポータブル又はハンドヘルドナビゲーション装置２００であってもよい。
【００３９】
更に図２のポータブル又はハンドヘルドナビゲーション装置２００は、例えば自転車、オートバイ、自動車又は船等の乗り物に既知の方法で接続又は「ドッキング」される。そのようなナビゲーション装置２００は、ポータブル又はハンドヘルドナビゲーションに使用するためにドッキングされた場所から取り外し可能である。
【００４０】
次に図３を参照すると、ナビゲーション装置２００は、デジタル接続（例えば、既知のＢｌｕｅｔｏｏｔｈ（登録商標）技術を介するデジタル接続等）を確立する移動装置（不図示）（移動電話、ＰＤＡ及び／又は移動電話技術を有するあらゆる装置等）を介してサーバ３０２との「モバイル」又は電気通信ネットワーク接続を確立してもよい。その後、移動装置は、そのネットワークサービスプロバイダを介してサーバ３０２とのネットワーク接続（例えば、インターネットを介する）を確立できる。従って、「モバイル」ネットワーク接続は、ナビゲーション装置２００（単独で且つ／又は車両に搭載されて移動するため移動装置であってもよく且つ多くの場合は移動装置である）とサーバ３０２との間に確立され、情報に対する「リアルタイム」又は少なくとも非常に「最新」のゲートウェイを提供する。
【００４１】
移動装置（サービスプロバイダを介する）とサーバ３０２等の別の装置との間のネットワーク接続は、例えばインターネット（ワールドワイドウェブ等）を使用して既知の方法で確立される。これは、例えばＴＣＰ／ＩＰレイヤプロトコルを使用することを含むことができる。移動装置は、ＣＤＭＡ、ＧＳＭ、ＷＡＮ等のいかなる数の通信規格も利用できる。
【００４２】
従って、例えば移動電話又はナビゲーション装置２００内の移動電話技術を介したデータ接続を介して達成されるインターネット接続が利用されてもよい。この接続に対して、サーバ３０２とナビゲーション装置２００との間のインターネット接続が確立される。これは、例えば移動電話又は他の移動装置及びＧＰＲＳ（汎用パケット無線サービス）接続（ＧＰＲＳ接続はテレコムオペレータにより提供された移動装置に対する高速データ接続であり、ＧＰＲＳはインターネットに接続する方法である）を介して行われる。
【００４３】
更にナビゲーション装置２００は、公知の方法で、例えば既存のＢｌｕｅｔｏｏｔｈ（登録商標）技術を介する移動装置とのデータ接続及び最終的にはインターネット及びサーバ３０２とのデータ接続を完成できる。ここで、データプロトコルは、例えばＧＳＲＭ、ＧＳＭ規格に対するデータプロトコル規格等のいかなる数の規格も利用できる。
【００４４】
ナビゲーション装置２００は、ナビゲーション装置２００自体に自身の移動電話技術を含んでもよい（例えばアンテナを含むか又はオプションとしてナビゲーション装置２００の内蔵アンテナを使用する）。ナビゲーション装置２００内の移動電話技術は、上記で指定したように内蔵構成要素を含むことができ且つ／又は挿入可能なカード（例えば、加入者識別モジュール、すなわちＳＩＭカード）を含むことができ、例えば必要な移動電話技術及び／又はアンテナにより完成される。従って、ナビゲーション装置２００内の移動電話技術は、あらゆる移動装置と同様の方法で例えばインターネットを介してナビゲーション装置２００とサーバ３０２との間のネットワーク接続を同様に確立できる。
【００４５】
ＧＲＰＳ電話設定に対して、Ｂｌｕｅｔｏｏｔｈ（登録商標）対応ナビゲーション装置は、移動電話の機種、製造業者等の変化する範囲で正確に動作するために使用されてもよく、機種／製造業者別の設定は、例えばナビゲーション装置２００に格納されてもよい。この情報に対して格納されたデータは更新可能である。
【００４６】
図３において、ナビゲーション装置２００は、多くの種々の構成のうちのいずれかにより実現される汎用通信チャネル３１８を介してサーバ３０２と通信しているものとして示される。サーバ３０２及びナビゲーション装置２００は、通信チャネル３１８を介する接続がサーバ３０２とナビゲーション装置２００との間に確立された時に通信できる（尚、そのような接続は移動装置を介するデータ接続、インターネットを介するパーソナルコンピュータを介した直接接続であってもよい）。
【００４７】
サーバ３０２は、図示しない他の構成要素に加えて、メモリ３０６に動作可能に接続され且つ有線又は無線接続３１４を介して大容量データ記憶装置３１２に動作可能に更に接続されるプロセッサ３０４を含む。プロセッサ３０４は、更に、通信チャネル３１８を介してナビゲーション装置２００と情報の送受信を行うために、送信機３０８及び受信機３１０に動作可能に接続される。送受信される信号は、データ信号、通信信号及び又は他の伝搬信号を含んでもよい。送信機３０８及び受信機３１０は、ナビゲーション装置２００の通信設計において使用される通信条件及び通信技術に従って選択又は設計されうる。尚、送信機３０８及び受信機３１０の機能は、信号送受信機に組み合わされてもよい。
【００４８】
サーバ３０２は、大容量記憶装置３１２に更に接続される（又は、大容量記憶装置３１２を含む）。尚、大容量記憶装置３１２は、通信リンク３１４を介してサーバ３０２に結合されてもよい。大容量記憶装置３１２は、ナビゲーションデータ及び地図情報の記憶データを含む。また、大容量記憶装置３１２は、サーバ３０２とは別個の装置であってもよく、サーバ３０２に組み込まれてもよい。
【００４９】
ナビゲーション装置２００は、通信チャネル３１８を介してサーバ３０２と通信するように構成され、図２に関して上述したように、プロセッサ、メモリ等を含み、更に、通信チャネル３１８を介して信号及び／又はデータを送出する送信機３２０及び受信する受信機３２２を含む。尚、これらの装置は、サーバ３０２以外の装置と通信するためにも使用される。更に、送信機３２０及び受信機３２２は、ナビゲーション装置２００の通信設計において使用される通信条件及び通信技術に従って選択又は設計され、送信機３２０及び受信機３２２の機能は、単一の送受信機に組み合わされてもよい。
【００５０】
サーバメモリ３０６に格納されるソフトウェアは、プロセッサ３０４に命令を提供し、サーバ３０２がナビゲーション装置２００にサービスを提供できるようにする。サーバ３０２により提供される１つのサービスは、ナビゲーション装置２００からの要求の処理及び大容量データ記憶装置３１２からナビゲーション装置２００へのナビゲーションデータの送信を含む。本発明の少なくとも１つの実施形態によれば、サーバ３０２により提供される別のサービスは、所望のアプリケーションに対する種々アルゴリズムを使用したナビゲーションデータの処理及びナビゲーション装置２００へのこれらの計算の結果の送出を含む。
【００５１】
一般に、通信チャネル３１８は、ナビゲーション装置２００とサーバ３０２とを接続する伝搬媒体又はパスを表す。本発明の少なくとも１つの実施形態によれば、サーバ３０２及びナビゲーション装置２００の双方は、通信チャネルを介してデータを送信する送信機及び通信チャネルを介して送信されたデータを受信する受信機を含む。
【００５２】
通信チャネル３１８は、特定の通信技術に限定されない。更に、通信チャネル３１８は、単一の通信技術に限定されない。すなわち、チャネル３１８は、種々の技術を使用する複数の通信リンクを含んでもよい。例えば、少なくとも１つの実施形態によると、通信チャネル３１８は、電気通信、光通信及び／又は電磁通信等のためのパスを提供するように構成される。そのため、通信チャネル３１８は、電気回路、ワイヤ及び同軸ケーブル等の電気導体、光ファイバケーブル、コンバータ、無線周波数（ＲＦ）波、大気、空間等のうちの１つ又はそれらの組み合わせを含むが、それらに限定されない。更に、少なくとも１つの種々の実施形態によると、通信チャネル３１８は、例えば、ルータ、中継器、バッファ、送信機及び受信機等の中間装置を含むことができる。
【００５３】
本発明の少なくとも１つの実施形態において、例えば、通信チャネル３１８は、電話及びコンピュータネットワークを含む。更に、少なくとも１つの実施形態において、通信チャネル３１８は、無線周波数、マイクロ波周波数、赤外線通信等の無線通信に適応できるる。更に、少なくとも１つの実施形態によると、通信チャネル３１８は衛星通信に適応できる。
【００５４】
通信チャネル３１８を介して送信される通信信号は、所定の通信技術に必要とされるか又は望まれる信号を含むが、それらに限定されない。例えば、信号は、時分割多元接続（ＴＤＭＡ）、周波数分割多元接続（ＦＤＭＡ）、符号分割多元接続（ＣＤＭＡ）、Global System for Mobile Communications（ＧＳＭ）等のセルラ通信技術において使用されるように構成されてもよい。デジタル信号及びアナログ信号の双方が通信チャネル３１８を介して送信できる。これらの信号は、通信技術にとって望ましい変調信号、暗号化信号及び／又は圧縮信号であってもよい。
【００５５】
サーバ３０２は、無線チャネルを介してナビゲーション装置２００によりアクセス可能なリモートサーバを含む。また、サーバ３０２は、ローカルエリアネットワーク（ＬＡＮ）、ワイドエリアネットワーク（ＷＡＮ）、仮想プライベートネットワーク（ＶＰＮ）等に位置付けられるネットワークサーバを含んでもよい。
【００５６】
サーバ３０２は、デスクトップ又はラップトップコンピュータ等のパーソナルコンピュータを含んでもよく、通信チャネル３１８は、パーソナルコンピュータとナビゲーション装置２００との間に接続されるケーブルであってもよい。あるいは、パーソナルコンピュータは、ナビゲーション装置２００とサーバ３０２との間に接続されて、サーバ３０２とナビゲーション装置２００との間にインターネット接続を確立してもよい。あるいは、インターネットを介してナビゲーション装置２００をサーバ３０２に接続するために、移動電話又は他のハンドヘルド装置がインターネットへの無線接続を確立してもよい。
【００５７】
ナビゲーション装置２００は、情報ダウンロードを介してサーバ３０２から情報を受信してもよい。情報は、ユーザがナビゲーション装置２００をサーバ３０２に接続する場合に周期的に更新されてもよく且つ／又は例えば無線移動接続装置及びＴＣＰ／ＩＰ接続を介してサーバ３０２とナビゲーション装置２００との間に接続がより継続して又は頻繁に確立される場合に更に動的に更新されてもよい。多くの動的計算のために、サーバ３０２内のプロセッサ３０４が大量の処理要求を処理するために使用されてもよい。しかし、ナビゲーション装置２００のプロセッサ２１０も同様に、多くの場合においてはサーバ３０２への接続に関係なく、多くの処理及び計算を処理できる。
【００５８】
図２に示すように、ナビゲーション装置２００はプロセッサ２１０、入力装置２２０、表示画面２４０を有する。入力装置２２０及び表示画面２４０は、一体化した入力及び表示デバイスに統合する。例えばタッチパネルスクリーンに適応すると、情報（直接入力、メニュー選択など）の入力及び情報の表示の両方を可能にする。タッチ入力ＬＣＤのような画面は当業者には周知のものである。更に、ナビゲーション装置２００は、例えばオーディオ入力／出力装置などの、更なる入力装置２２０及び／又は更なる出力装置２４１を有してもよい。
【００５９】
図４Ａ及び図４Ｂは、ナビゲーション装置２００の実施形態の実装した場合の斜視図を示している。図４Ａに示すように、ナビゲーション装置２００は、一体となった入力及び表示装置２９０（例えばタッチパネル画面）と図２の他の構成要素（内蔵ＧＰＳ受信機２５０、マイクロプロセッサ２１０、電源、メモリシステム２２０などを含むがこれに限定されない）を含むユニットであってもよい。
【００６０】
ナビゲーション装置２００は、アーム２９２上に備え付けられてもよい。このアーム２９２は、大きな吸着カップ２９４を用いて、車両のダッシュボード／窓／等に固定されてもよい。このアーム２９２は、ナビゲーション装置２００がドッキング可能なドッキングステーションの一例である。
【００６１】
図４Ｂに示すように、ナビゲーション装置２００は、例えば、アーム２９２に対してナビゲーション装置２９２をきちんと接続することで、ドッキングステーションのアーム２９２にドッキング若しくは接続することができる。図４Ｂにおける矢印で示すように、ナビゲーション装置２００は、アーム２９２上で回転可能である。ナビゲーション装置２００とドッキングステーションとの間の接続を解除するためには、例えば、ナビゲーション装置２００上のボタンを押下すればよい。ナビゲーション装置２００をドッキングステーションに結合し且つドッキングステーションから分離する他の同様の適切な構成は、当業者には周知である。
【００６２】
次に、図５を参照すると、メモリリソース２３０は、機能ハードウェア構成要素４６０により実行するオペレーティングシステム４７０をメモリリソース２３０からロードするためにプロセッサ２１０により実行されるブートローダプログラム（不図示）を格納する。オペレーティングシステム４７０は、アプリケーションソフトウェア４８０が実行可能な環境を提供する。オペレーティングシステム４７０は機能ハードウェア構成要素４６０を制御し、アプリケーションソフトウェア４８０と機能ハードウェア構成要素４６０との間に常駐する。アプリケーションソフトウェア４８０は、例えば地図の閲覧、経路計画、ナビゲーション機能及びそれに関連する他の何らかの機能であるナビゲーション装置２００の主要機能をサポートするＧＵＩを含む操作環境を提供する。本発明の好適な実施形態によれば、この機能性の一部に、トラフィック・アラート・モジュール（ＴＡＭ）４９０が含まれる。以下の図面と関連して、その機能を以下に詳細に説明する。
【００６３】
ＴＡＭ４９０は、表示装置２４０が動作停止中である場合等のナビゲーション装置２００が低電力状態である場合でも動作可能である。例えばナビゲーション装置２００が「オフ」状態にされている場合、ＴＡＭ４９０は以下に説明するような１つ以上の機能を実行するように依然として動作可能である。低電力状態は、ナビゲーション装置２００の機能の大部分がディスエーブルにされるユーザにより起動される「オフ」状態及び／あるいは表示画面２４０等の消費電力の大きいサブシステム又は装置がディスエーブルにされるナビゲーション装置の節電状態である。ＴＡＭ４９０がナビゲーション装置２００の動作可能又は「オン」状態においても動作することは理解されるだろう。
【００６４】
図６は、本発明の一実施形態に係る方法６００を示す。方法はＴＡＭ４９０により実行される。方法６００は、ＰＮＤがキャリングバッグ又は車両のグローブボックス等の他の筐体内に配置された場合等、ＴＡＭ４９０が低電力状態である場合に実行される。そのような場合、ナビゲーション装置２００は、ナビゲーション装置２００の場所を正確に判定することによりユーザが走行している経路を正確に判定するためにＧＰＳ信号を受信できない。しかし、他の形態の場所判定技術はＧＰＳ信号に基づく技術より精度が低いが、ナビゲーション装置の場所を把握し且つユーザが移動している経路を判定するために、そのような技術がＴＡＭ４９０により使用される。図８を参照して、経路を判定する方法を以下に説明する。
【００６５】
図６を参照すると、方法が開始し、ステップ６１０において、ＴＡＭ４９０は推定移動時間が計算される既知の経路をユーザが移動しているか否かを判定する。ステップ６１０における経路の判定は、受信したＧＰＳ信号を参照して実行される。可能であれば、それに加えて又はその代わりに、例えばＷｉＦｉ及び／あるいはＧＳＭ又はＵＭＴＳ等の電気通信ネットワークである無線ネットワーク等の他の無線受信した目印を参照して、経路の判定が実行される。ＴＡＭ４９０は、ナビゲーション装置２００が過去に移動した１つ以上の経路を識別する情報を含む記憶データを更に利用する。この記憶データは、ナビゲーション装置２００内のメモリ２３０等に保持され且つ／又はサーバ３０２の通信チャネル３１８等を介してナビゲーション装置２００によりアクセス可能である。
【００６６】
ステップ６１０において、ナビゲーション装置２００が既知の経路に沿って移動しているとＴＡＭ４９０が判定する場合、ステップ６２０へ進む。しかし、経路が既知ではないとＴＡＭ４９０が判定する場合、方法は終了する。
【００６７】
ステップ６１０のいくつかの実施形態において、経路に対する第１の推定移動時間はステップ６１０で判定されるが、他の実施形態において、これはステップ６３０で実行される。第１の推定移動時間は、経路を形成する各道路区分に対する予想移動速度に従って計算される理論上の移動時間である。あるいは、移動時間は履歴行程情報に基づく。履歴行程情報は、ナビゲーション装置２００の以前の移動速度又は時間、すなわちユーザの個人の行程情報を示してもよく、複数のナビゲーション装置２００、すなわち他のナビゲーション装置２００のユーザの行程情報を示してもよく、あるいは個人の行程情報及び他のユーザの行程情報の組合せを示してもよい。そのような履歴行程情報は、ＴｏｍＴｏｍ  Ｉｎｔｅｒｎａｔｉｏｎａｌ  ＢＶによりＩＱ  Ｒｏｕｔｅｓとして提供される。第１の推定移動時間は、経路に沿う交通状態の指示を含まない。
【００６８】
ステップ６２０において、ＴＡＭ４９０は経路に対する第２の推定移動時間を判定する。この場合、第２の推定移動時間は経路に沿う交通状態を考慮する。交通状態は、例えば事故及び交通量等である車両状態による遅延、並びに天候により引き起こされた遅延等の他の状態による遅延を含む。
【００６９】
第２の推定移動時間を判定するために、ＴＡＭ４９０は１つ以上の供給元からの道路交通情報を利用する。道路交通情報は、ナビゲーション装置２００が低電力モードである間にも受信される。しかし、道路交通情報は、ナビゲーション装置２００が最後に「オン」又は動作モードであった時に受信されたものであってもよい。道路交通情報は、１つ以上の道路区分における観測交通速度を示す。例えば道路交通情報は、特定の道路区分上を移動している交通が２０ｋｍｈ-1の観測速度を有することを示す。それに対して、道路の種類及び他の何らかの関連情報に基づく予想道路速度は、当該道路区分に対して４５ｋｍｈ-1の予想道路速度を示す。従って、交通状況により当該道路区分に対して２５ｋｍｈ-1の偏差が存在し、これは道路区分の長さに従ってユーザの移動時間を増加させる。受信した道路交通情報から、経路に対する第２の推定移動時間がＴＡＭ４９０により判定される。第２の推定移動時間は、経路に沿う交通状況による影響を受けるため、移動中の経路に対するより現実的な推定移動時間を提供する。
【００７０】
ステップ６３０において、第１の推定移動時間及び第２の推定移動時間がＴＡＭ４９０により比較される。ＴＡＭ４９０は、第２の推定移動時間と第１の推定移動時間との間の差分が所定の差分を上回るか否かを判定する。差分は、時間差分、すなわちＸ分であってもよく、あるいは相対的割合、すなわちＸ％であってもよい。例えば、第２の推定移動時間が第１の推定移動時間より所定の時間を上回る分長いかがステップ６３０で判定される。所定の時間は５分であってもよいが、２分、４分、６分又は８分等の他の期間が使用されてもよい。第２の推定移動時間が第１の推定移動時間より所定の差分長いと判定される場合、ステップ６４０へ進む。しかし、第１の推定移動時間と第２の推定移動時間との間の差分が所定の差分を下回る場合、ステップ６２０に戻る。その後のステップ６２０の繰り返しは、ほぼ即座にではなく所定の期間後に実行される。例えば更新される第２の推定移動時間は、例えば２分、４分又は５分後に判定される。
【００７１】
ステップ６４０において、交通に基づく第２の推定移動時間が第１の推定移動時間を上回るという指示がユーザに対して出力される。指示は、ユーザの行程が現在の交通状況により通常より長くかかる可能性があり、すなわち殆どの場合にそのようになるという警告である。警告は、視覚警告、可聴警告又は双方の組合せである。ナビゲーション装置２００がバッグ又は車両のグローブボックス等の筐体内に存在する可能性があるため、警告は少なくとも可聴部分を含むのが好ましい。可聴出力は、第２の推定移動時間が第１の推定移動時間より長いという指示を提供する音声警告を含む。音声警告は、例えば「交通による遅延はＸ分です、ご注意ください」という形態である第１の推定移動時間と第２の推定移動時間との間の差分の音声指示を含む。
【００７２】
更に、いくつかの実施形態において、ナビゲーション装置２００は、交通状況に基づく第２の推定移動時間を有する現在の経路より速い別の経路が現在の交通状況に従って利用可能であることを例えばステップ６３０で既に判定している。
【００７３】
方法のいくつかの実施形態では、ステップ６５０において、別の経路が利用可能であるか否かを判定するか又は別の経路がナビゲーション装置２００により既に計算されている場合にそれを受け入れることをナビゲーション装置２００に求めるユーザの要求を示す入力をユーザがナビゲーション装置２００に提供する手段が提供される。手段は、ナビゲーション装置２００に別の経路を判定させるか又は事前に判定された経路が利用可能である場合にそれを受け入れさせるためのユーザにより起動可能である表示装置２４０上に表示されたグラフィックコントロールである。あるいは、手段はナビゲーション装置２００をフル稼働等の高電力状態にする物理スイッチである。その場合、ナビゲーション装置２００は別の経路が利用可能であるという指示を表示装置２４０上に表示してもよく、あるいは別の経路が利用可能であるか否かを判定してもよい。別の経路が要求されるという指示をユーザがステップ６５０で入力する場合、ステップ６６０において、ナビゲーション装置２００は、１つ以上の基準及び道路交通情報により示される現在の交通状況に従って最善の経路を判定する。最善の経路は、道路交通情報を考慮して最短移動時間を有する経路である。しかし、別の経路が要求されるという指示をユーザがステップ６５０で入力しない場合、方法は終了する。ユーザは、例えばナビゲーション装置２００に入力を提供しないことにより別の経路が要求されないことを指示してもよく、あるいは、ユーザが交通状況を考慮しても現在の経路を続行することに満足していることを示すグラフィックコントロールを起動してもよい。別の経路が要求されることを示す入力をユーザがステップ６５０で提供しない場合、ＴＡＭ４９０は、ステップ６４０で出力された通知の少なくとも一部の出力を中止する。例えばＴＡＭ４９０は、ユーザの注意を逸らさないために、所定の時間後に出力の可聴部分、あるいは出力の可聴部分及び視覚部分の双方の出力を中止する。
【００７４】
図６を参照して述べた説明から、移動時間を比較するのではなく予想移動速度が比較され、比較された予想移動速度に基づいて警告を出力するかが判定されることが理解されるであろう。
【００７５】
図７は、本発明の一実施形態に従って、時間に対するナビゲーション装置２００の動作状態を示す。時間７１０において、ナビゲーション装置２００は電源を投入されて、すなわちフル稼働している。期間７１０の終端において、ユーザはナビゲーション装置２００上のオフスイッチを押し、それにより装置は低電力状態、すなわちＴＡＭ４９０を含む１つ以上の内部モジュールが少なくとも部分的に動作するスリープ状態になる。低電力状態を図中符号７２０で示す。低電力状態の間、ＴＡＭ４９０は上述した図６のステップ６１０〜６３０を実行する。すなわち、低電力状態の間、ＴＡＭ４９０は、第１の推定移動時間が判定される既知の経路に沿ってナビゲーション装置２００がユーザにより移動されているか否かを判定し、受信した道路交通情報に従って第２の推定移動時間を更に判定し、第１の推定移動時間と第２の推定移動時間との間の差分が所定の差分を上回るか否かを判定する。いくつかの実施形態において、第１の推定移動時間と第２の推定移動時間との間の差分が所定の差分を上回るとＴＡＭ４９０が判定する場合、ＴＡＭ４９０は、ナビゲーション装置を図７において図中符号７３０で示すオン状態等の高電力状態にする。高電力状態７３０になると、ＴＡＭ４９０はユーザに交通状況を通知するための警告を出力する。更なる入力がユーザから受信されない場合又は低電力状態に対応する入力、すなわちオフスイッチの起動がユーザから受信される場合、ＴＡＭ４９０は所定の期間後にナビゲーション装置２００を再び低電力状態７２０にすることが理解されるだろう。
【００７６】
図８は、ユーザが既知の経路を走行しているかをＴＡＭ４９０がＧＰＳ信号を受信せずに判定する本発明の一実施形態に係る方法を示す。本実施形態において、ＴＡＭ４９０は、他の無線受信信号を参照して、既知の経路を走行しているか否かを判定する。受信信号は狭域通信信号である。例示される実施形態において、狭域信号は無線ネットワーク信号であるが、他の狭域信号が利用されてもよいことが理解されるだろう。
【００７７】
図８は、複数の道路区分８０１〜８０７を含む地理的領域８００を示す。ナビゲーション装置２００の現在地を図中符号８１０で示す。隣接する道路区分に沿って移動中にＷｉ−Ｆｉ等の各狭域無線ネットワークが受信される複数の場所を図中符号８２０、８３０、８４０、８５０で示す。各無線ネットワーク８２０、８３０、８４０、８５０は、無線ネットワークに関連する識別情報により区別される。ナビゲーション装置２００がＧＰＳ信号を受信できた１つ以上の以前の行程において、ＴＡＭ４９０は、関連する経路を移動している間に隣接する道路区分上を移動中に無線ネットワークのうちの１つ以上を受信したことを示す情報を記録した。ＴＡＭ４９０は、上述の方法６００のステップ６１０において経路が一連の受信した無線ネットワークに従って判定されるように、経路、道路区分及び無線ネットワーク識別情報を関連付ける情報をデータベースに格納する。従って、ユーザが走行している経路は、ＴＡＭ４９０が無線ネットワーク８２０〜８５０のうちの１つ以上から信号を受信し且つ無線ネットワークに関連する識別情報の受信順序を格納済み情報と比較することにより判定される。例えば、ナビゲーション装置は道路区分８０１に沿って進む。道路区分８０２との接合又は移行点の近傍において、ＴＡＭ４９０は無線ネットワーク８２０が受信されるかを識別するように構成される。その後、ＴＡＭ４９０は無線ネットワーク８３０から信号を受信する。従って、ＴＡＭ４９０はユーザが道路８０３に沿って進まなかったことを判定できる。ユーザが道路８０３に沿って進んだ場合、無線ネットワーク８４０がＴＡＭ４９０により受信されるはずである。その後、ＴＡＭ４９０は無線ネットワーク８５０から信号を受信する。ネットワーク８２０、８３０、８５０から受信した無線ネットワーク信号の組み合わせから、ＴＡＭ４９０は、判定された一連の受信済み無線ネットワークとＴＡＭ４９０がアクセスできる例えばメモリ２３０であるデータベースに格納された情報とを比較することにより、走行している経路が道路区分８０１、８０２、８０４、８０５、８０７を含むと判定する。例えばＴＡＭ４９０は、経路がユーザの職場への経路に対応すると判定する。
【００７８】
ＴＡＭ４９０の他の実施形態は、上記の代わりに又は上記に加えて、受信した移動電話、すなわちＧＳＭ又はＵＭＴＳ信号の三角測量等により、他の受信信号を参照して走行している経路を判定する。
【００７９】
ナビゲーション装置がフル稼働しておらず且つ／又はユーザの目的地を通知されてない場合、すなわちユーザの目的地をプログラムされていない場合であっても、交通状況がユーザの移動時間に悪影響を及ぼす可能性があるかをナビゲーション装置が自動的に判定するように構成される構成を本発明の教示が提供することは上記の説明から明らかになるだろう。
【００８０】
以上、本発明の種々の態様及び実施形態を説明したが、本発明の範囲は本明細書に記載される特定の構成に限定されるのではなく、添付の請求の範囲の範囲に含まれる全ての構成、並びにそれらに対する変更及び変形を含むことが更に理解されるだろう。
【００８１】
例えば、前述の詳細な説明中で説明した実施形態はＧＰＳを参照するが、ナビゲーション装置は、ＧＰＳの代わりに（又は実際はＧＰＳに追加して）何らかの種類の位置検出技術を利用してもよい。例えばナビゲーション装置は、欧州のＧａｌｉｌｅｏシステム等の他のグローバルナビゲーション衛星システムを利用する。同様に、ナビゲーション装置は衛星の使用に限定されず、地上ビーコン又は装置が地理的場所を判定できるようにする他の何らかの種類のシステムを使用しても容易に機能できる。
【００８２】
好適な実施形態はある特定の機能性をソフトウェアにより実現するが、その機能性はハードウェアにおいて（例えば、１つ以上のＡＳＩＣ（特定用途向け集積回路）により）単独で実現されてもよく、あるいは実際はハードウェア及びソフトウェアの組み合わせにより実現されてもよいことは、当業者には理解されるであろう。したがって、本発明の範囲は、ソフトウェアで実現されることのみに限定されると解釈されるべきではない。
【００８３】
最後に、添付の特許請求の範囲は本明細書で説明した特徴の特定の組み合わせを記載するが、本発明の範囲は、以下に請求される特定の組み合わせに限定されるのではなく、特定の組み合わせが添付の特許請求の範囲に特に記載されているか否かに関わらず、本明細書中で開示された特徴又は実施形態のあらゆる組み合わせをも含む。
【図１】
2013510300.tif 000003
【図２】
2013510300.tif 000004
【図３】
2013510300.tif 000005
【図４Ａ】
2013510300.tif 000006
【図４Ｂ】
2013510300.tif 000007
【図５】
2013510300.tif 000008
【図６】
2013510300.tif 000009
【図７】
2013510300.tif 000010
【図８】
2013510300.tif 000011
【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
ナビゲーション装置であって、
過去に移動した経路の記憶データに基づいて前記ナビゲーション装置が既知の経路を移動しているか否かを判定するとともに、該経路の交通状況が該経路に対する所定の移動時間の増加を上回る増加を有するか否かを判定し、該判定に応答して、前記ナビゲーション装置に通知を出力させるモジュールを有することを特徴とするナビゲーション装置。
【請求項２】
前記モジュールは、前記経路を形成する道路区分に対する速度情報に基づいて該経路に対する第１の推定移動時間又は移動速度を判定するとともに、前記経路の前記交通状況を考慮して該経路に対する第２の推定移動時間を判定することを特徴とする請求項１に記載のナビゲーション装置。
【請求項３】
前記モジュールは、前記ナビゲーション装置の低電力状態中に道路交通情報を受信することを特徴とする請求項２に記載のナビゲーション装置。
【請求項４】
前記モジュールは、受信した通信信号であって好ましくは無線ネットワーク及び電気通信信号のうちの少なくともいずれか１つを含む通信信号に従って、前記経路を判定することを特徴とする請求項１に記載のナビゲーション装置。
【請求項５】
前記モジュールは、一連の受信した無線ネットワーク信号と、１つ以上の経路に関連する無線ネットワーク情報を含む記憶データとに従って、前記経路を判定する、又は、受信した電気通信信号に基づく推定位置及び前記記憶データに基づいて前記経路を判定することを特徴とする請求項４に記載のナビゲーション装置。
【請求項６】
前記モジュールは、ユーザに前記経路の前記交通状況を警告するために前記通知を可聴出力することを特徴とする請求項１に記載のナビゲーション装置。
【請求項７】
前記モジュールは、前記交通状況による影響の少ない別の経路が利用可能であるか否かを判定し、前記別の経路が利用可能であることの指示を出力することを特徴とする請求項１に記載のナビゲーション装置。
【請求項８】
ナビゲーション装置のユーザに経路の交通状況を警告する方法であって、
過去に移動した経路の記憶データに基づいて前記ユーザが既知の経路を移動しているか否かを判定するステップと、
前記経路の交通状況が該経路に対する所定の移動時間の増加を上回る増加を有するか否かを判定し、該判定に応答して、前記ユーザに対して通知を出力するステップと、
を有することを特徴とする方法。
【請求項９】
前記経路を形成する道路区分に対する速度情報に基づいて前記経路に対する第１の推定移動時間又は移動速度を判定するステップと、
前記経路の前記交通状況を考慮して前記経路に対する第２の推定移動時間を判定するステップと、
前記第１の推定移動時間又は移動速度と前記第２の推定移動時間又は移動速度との間の差分が所定量を上回る場合に、前記ユーザに対して前記通知を出力するステップと、
を有することを特徴とする請求項８に記載の方法。
【請求項１０】
前記ナビゲーション装置が低電力状態である間に道路交通情報を受信するステップを有することを特徴とする請求項８に記載の方法。
【請求項１１】
前記通知を出力する前に前記ナビゲーション装置を高電力状態にするステップを有することを特徴とする請求項１０に記載の方法。
【請求項１２】
無線通信信号を受信するステップと、
前記通信信号と、該通信信号を１つ以上の経路と関連付ける情報を含む記憶データとに基づいて、前記ユーザが既知の経路を移動しているか否かを判定するステップと、
を有することを特徴とする請求項８に記載の方法。
【請求項１３】
前記無線通信信号が無線ネットワーク信号である場合に、一連の前記受信した無線通信信号を前記記憶データにおける無線ネットワーク情報と比較し、前記無線通信信号が電気通信信号である場合、該電気通信信号から推定位置を判定し、該推定位置を前記記憶データを比較することを特徴とする請求項１２に記載の方法。
【請求項１４】
前記交通状況により影響の少ない別の経路が利用可能であるか否かを判定し、該別の経路の利用可能性を示す通知を前記ユーザに対して出力するステップを有することを特徴とする請求項８に記載の方法。
【国際調査報告】
2013510300.tif 000012
2013510300.tif 000013
2013510300.tif 000014